(57)【特許請求の範囲】
【請求項１】
下位梯子と、下位梯子に昇降自在に係合された上位梯子と、両梯子にわたって配設され引張操作によって上位梯子を下位梯子に沿って上昇させる操作ロープと、上記梯子を所要の各伸縮位置で下向きに係合保持するとともにその係合位置から上位梯子を一定距離以上上昇させると係合解除状態となる掛合装置とからなる伸縮梯子において、ばねにて略水平状態に向けて回動付勢されるとともに略水平状態から上方には回動不可能であって、その略水平状態で先端部が上位梯子の踏桟に係合可能でかつ下方に回動するとその先端部が上位梯子の踏桟に対して非係合位置となるロックレバーを、上位梯子が係合保持位置と係合解除位置との間の範囲内に位置する間にあって上位梯子の踏桟に係合する位置の下位梯子に枢着し、操作ロープの引張操作によってロックレバーが下方に回動するように操作ロープの先端部をロックレバーに連結したことを特徴とする伸縮梯子。
【請求項２】
掛合装置を、上位梯子の上昇時に下位梯子の踏桟に順次係合する掛合片と、その係合位置から上位梯子を一定距離以上上昇させると掛合片と下方の踏桟との係合を阻止する作用状態となる掛合解除片とで構成し、ロックレバーを、上位梯子が掛合片と踏桟の係合位置とそこから一定距離上昇した位置との間の範囲内に位置する間にあって上位梯子の踏桟に係合する位置の下位梯子に枢着したことを特徴とする請求項１記載の伸縮梯子。
【発明の詳細な説明】
【０００１】
【産業上の利用分野】
本発明は高所作業等に用いる伸縮梯子に関する。
【０００２】
【従来の技術】
この種伸縮梯子は、図１、図２に示すように、下位梯子２と、下位梯子２に沿って伸縮昇降する上位梯子３と、両梯子２、３にわたって配設された操作ロープ１７と、上位梯子３を所要の伸縮位置に係合保持する掛合装置６とから成り、操作ロープ１７を引張操作することによって上位梯子３が下位梯子２に沿って上昇伸長し、掛合装置６の掛合片７が下位梯子２の任意の踏桟２ａを通過するとこの掛合片７がばねに付勢されてその踏桟２ａに係合し、その通過直後に操作ロープ１７の引張を解放すると掛合片７が踏桟２ａに係合することにより上位梯子３はその掛合位置で保持される。また、上位梯子３を収縮下降せしめる場合には、操作ロープ１７を更に引張して掛合装置６の掛合解除片８が踏桟２ａより上位に来るまで上位梯子３を上昇せしめた後操作ロープ１７の引張を解放すると、掛合解除片８によって掛合片７の掛合部７ａが塞がれるため、上位梯子３の下降途中で掛合片７が踏桟２ａに係合することなく収縮下降する。このようにして、操作ロープ１７の引張操作によって上位梯子３を伸縮昇降させ、下位梯子２の任意の踏桟２ａに掛合装置６を係合させることにより任意の長さに伸縮調整することができ、また上位梯子３の下端部が下位梯子２の下端部に設けられたストッパ１８に係合して最下端位置で保持される。
【０００３】
【発明が解決しようとする課題】
ところが、上述のような伸縮梯子の構成では、掛合解除片８が作用状態でないときは掛合装置６の掛合片７が下位梯子２の踏桟２ａに係合して上位梯子３がそれ以上下降しないように保持され、掛合解除片８が作用状態になっても上位梯子３の下端部がストッパ１８と係合することにより最下端位置で保持されるが、上位梯子３が伸長上昇する際には最伸長位置まで自由に上昇でき、しかも掛合片７が踏桟２ａに係合している状態から上位梯子３を一定距離以上伸長上昇させると掛合解除片８が作用状態になってしまうため、例えばこの伸縮梯子１を用いて屋根に上り作業を行なう間に、作業箇所を変えるために屋根上で伸縮梯子１の上端を持ってこの伸縮梯子１を転動させながら横方向に移動させた場合、上位梯子３が上記一定距離以上伸長上昇して掛合解除片８が作用状態になり、さらに移動後上位梯子３の上部と屋根の庇に係合によって掛合解除片８が作用状態になっているにも関わらず上位梯子３が収縮下降することなくその状態が維持されているような事態を生じる恐れがあり、その場合屋根から下りるために伸縮梯子１の上位梯子３に荷重が加わったときに一挙に上位梯子３が収縮下降する恐れがあり、伸縮梯子１の上部を持って動かした場合には掛合解除片８が作用状態になっていないことを必ず確認する必要があった。
【０００４】
また、運搬時に上位梯子３側を持った場合には下位梯子２を持ち上げることができないので、収縮させた後持ち直す必要があり、また運搬中に上位梯子３側が低くなると重力によって伸長してしまうこともあった。
【０００５】
このように従来の伸縮梯子１では取扱上の注意義務があり、不便であるという問題があった。
【０００６】
本発明は、上記従来の問題点に鑑み、上位梯子の伸縮昇降動作に支障を来すことなく、上位梯子側を持って動かした場合にも掛合装置が不測に解除される恐れを無くし、また上位梯子が不測に伸長上昇することのない伸縮梯子を提案することを目的とする。
【０００７】
【課題を解決するための手段】
上記目的を達成するために本発明は、図中の参照符号を付して示すならば、請求項１にあっては、下位梯子２と、下位梯子２に昇降自在に係合された上位梯子３と、両梯子２、３にわたって配設され引張操作によって上位梯子３を下位梯子２に沿って上昇させる操作ロープ１７と、上記梯子３を所要の各伸縮位置で下向きに係合保持するとともにその係合位置から上位梯子３を一定距離以上上昇させると係合解除状態となる掛合装置６とからなる伸縮梯子１において、ばね１６にて略水平状態に向けて回動付勢されるとともに略水平状態から上方には回動不可能であって、その略水平状態で先端部が上位梯子３の踏桟３ａに係合可能でかつ下方に回動するとその先端部が上位梯子３の踏桟３ａに対して非係合位置となるロックレバー１５を、上位梯子３が係合保持位置と係合解除位置との間の範囲内に位置する間にあって上位梯子３の踏桟３ａに係合する位置の下位梯子２に枢着し、操作ロープ１７の引張操作によってロックレバー１５が下方に回動するように操作ロープ１７の先端部をロックレバー１５に連結してなる構成を採用するものである。
【０００８】
また、請求項２にあっては、掛合装置６を、上位梯子３の上昇時に下位梯子２の踏桟２ａに順次係合する掛合片７と、その係合位置から上位梯子３を一定距離以上上昇させると掛合片７と下方の踏桟２ａとの係合を阻止する作用状態となる掛合解除片８とで構成し、ロックレバー１５を、上位梯子３が掛合片７と踏桟2aａの係合位置とそこから一定距離上昇した位置との間の範囲内に位置する間にあって上位梯子３の踏桟３ａに係合する位置の下位梯子２に枢着してなる請求項１に記載の構成を採用するものである。
【０００９】
【作用】
本発明の請求項１にあっては、操作ロープ１７を引張操作していない状態ではロックレバー１５はばね１６に付勢されて略水平状態にあり、しかも略水平状態からは上方に回動不能であるため、ロックレバー１５の先端部が上位梯子３の踏桟３ａに係合可能となっており、上位梯子３を持ち上げるようにしても上位梯子３の踏桟３ａがロックレバー１５の先端部に係合して上位梯子３は下位梯子２に対して一定以上上昇しないので、掛合装置６の係合が解除されることはなく、従って上位梯子３側を持って動かしても掛合が解除されることはない。また、上位梯子３が不測に伸長上昇することもないので、運搬時に上位梯子３側を持っても下位梯子２も一体的に持ち上げることができ、また運搬中に上位梯子３側が低くなると重力によって伸長してしまうこともない。
【００１０】
一方、伸縮梯子１を伸長させる際には、操作ロープ１７を引張操作することによって、その先端部に連結されているロックレバー１５がばね１６の付勢力に抗して下方に回動されて踏桟３ａに対して非係合状態となり、したがって操作ロープ１７を更に強く引張操作することにより上位梯子３が上昇伸長することになり、操作ロープ１７の引張操作による上位梯子３の上昇伸長動作に支障を来すことはない。
【００１１】
請求項２にあっては、下位梯子２の踏桟２ａと掛合片７との係合位置から一定距離以上上昇させたときに、掛合片７と下方の踏桟２ａとの係合を阻止する掛合解除片８が作用状態となるように構成した簡単な構成の掛合装置６を用いているので安価に製造することができるとともに、ロックレバー１５にて上位梯子３が不測に一定以上上昇するのを防止できる。
【００１２】
【実施例】
以下、本発明の一実施例の伸縮梯子について、図１〜図５を参照しながら説明する。
【００１３】
まず伸縮梯子１の全体構成を説明すると、図１、図２に示すように、伸縮梯子１は下位梯子２と上位梯子３から成り、下位梯子２の上端と上位梯子３の下端に固着されるとともに相手側の梯子３、２側に向けて突出されたガイドブラケット４、５にて上位梯子３が下位梯子２に沿って昇降自在に保持されている。２ａ、３ａはそれぞれ下位梯子２と上位梯子３の踏桟である。
【００１４】
上位梯子３の下部両側には、下位梯子２の踏桟２ａに下向きに係合可能な一対の掛合装置６が配設されている。この掛合装置６は上位梯子３の上昇時に下位梯子２の各踏桟２ａに順次係合する掛合片７と、その係合位置から上位梯子３を一定距離以上上昇させると掛合片７の掛合部７ａを塞ぎ、下方の踏桟２ａに対する係合を阻止する作用状態となる掛合解除片８とで構成されている。
【００１５】
下位梯子２の上端から適当距離下方位置に上部プーリブラケット９が取付けられ、上位梯子３の下端から適当距離上方位置に下部プーリブラケット１０が取付けられ、それぞれ１又は複数のプーリ１１、１２が回転自在に保持されている。また、上部プーリブラケット９には、図３、図４に示すように、上位梯子３側に向けて斜め内側に突出する斜行ブラケット部１３が一体的に突出形成されている。この斜行ブラケット部１３は折り返し部が先端側に位置する略Ｕ字状の平面形状で、その下部基部側位置を貫通する枢支ピン１４にて略Ｌ字状のロックレバー１５の上端部が上下に回動自在に枢着されている。このロックレバー１５は、略水平状態で斜行ブラケット部１３の下端縁に係合してそれ以上の上方への回動は不能とされ、その略水平状態で先端部が上位梯子３の踏桟３ａに係合可能でかつ下方に回動するとその先端部が上位梯子３の踏桟３ａに対して非係合位置となるように構成されている。また、このロックレバー１５は、ばね１６にて略水平状態に向けて回動付勢されている。
【００１６】
ロックレバー１５の先端部には操作ロープ１７の先端部が連結されており、この操作ロープ１７は下方に延出されて上位梯子３側の下部プーリブラケット１０のプーリ１２に巻回された後、上方に延出されて下位梯子２側の上部プーリブラケット９のプーリ１１に巻回されて下方に延出され、下位梯子２の下部の適所に連結されている。
【００１７】
図１、図２において、１８は上位梯子３の下端部のガイドブラケット５が係合して上位梯子３の下降限位置を規制するストッパ、１９は下位梯子２の下端に装着された脚部、２０は下位梯子２の上端と上位梯子３の上下端に装着された端部材である。
【００１８】
以上の構成の伸縮梯子１の使用方法を説明すると、下位梯子２に沿って垂下されている操作ロープ１７の下部を引張操作することにより、その引張力と上位梯子３の荷重によってロックレバー１５が図５（ａ）の状態から図５（ｃ）、（ｄ）に示すように、ばね１６の付勢力に抗して下方に回動し、その先端部が上位梯子３の踏桟３ａに対して非係合位置となり、上位梯子３の昇降を阻害しない状態になり、この状態で操作ロープ１７を更に強く引張操作することによって上位梯子３が図５（ｄ）に白抜き矢印で示すように伸長上昇し、所望の伸縮位置で操作ロープ１７の引張力を解放することにより、従来通り掛合装置６が対応する下位梯子２の踏桟２ａに掛合し、その伸縮位置で掛合保持される。また、その状態でロックレバー１５は図５（ａ）に示す略水平状態に復帰する。
【００１９】
上位梯子３を収縮下降させるときには、操作ロープ１７を上記と同様に引張操作して上位梯子３を一旦一定距離以上上昇させることにより、掛合装置６の掛合解除片８が作用状態となり、その後上位梯子３を操作ロープ１７で支持しながらこの操作ロープ１７を繰り出すことによって掛合装置６が下位梯子２の下方の踏桟２ａに係合することなく上位梯子３が収縮下降し、最収縮位置で上位梯子３下端部のガイドブラケット５がストッパ１８に係合して保持される。また、その状態で操作ロープ１７を解放することにより、図５（ａ）に示すように、ロックレバー１５がばね１６の付勢力で略水平状態に復帰する。
【００２０】
伸縮梯子１を掛合装置６にて所望の伸縮位置で掛合保持した状態又はストッパ１８にて最収縮位置で保持した状態で、図１及び図５（ｂ）に白抜き矢印で示すように上位梯子３を上方に持ち上げようとした場合、上記のようにロックレバー１５が略水平状態で上方に回動不能であるためにロックレバー１５の先端部に上位梯子３の踏桟３ａが係合可能となっており、図５（ｂ）に示すように、上位梯子３の踏桟３ａがロックレバー１５の先端部に係合し、上位梯子３は下位梯子２に対して一定以上上昇せず、その結果掛合装置６の掛合解除片８が作用状態になることはない。
【００２１】
従って、上位梯子３側を持って動かしても掛合装置６の掛合が解除されることはなく、例えばこの伸縮梯子１を用いて屋根に上り作業を行なう間に、作業箇所を変えるために屋根上で上位梯子３の上端を持ってこの伸縮梯子１を転動させながら横方向に移動させた場合にも、上位梯子３が上記一定長さ以上伸長上昇して掛合解除片８が作用状態になる恐れはなく、掛合解除片８が作用状態になっていないことを一々確認しなくても、安全に屋根から下りることができる。
【００２２】
また上位梯子３が不測に伸長上昇することもないので、運搬時に上位梯子３側を持っても下位梯子２も一体的に持ち上げることができ、また運搬中に上位梯子３側が低くなると重力によって伸長してしまうこともない。
【００２３】
【発明の効果】
本発明の請求項１によれば、操作ロープを引張操作していない状態では、略水平状態のロックレバーの先端部が上位梯子の踏桟に係合可能となっているので、上位梯子を持ち上げるようにしても上位梯子は下位梯子に対して一定以上上昇せず、その結果上位梯子側を持って動かしても掛合装置の掛合が解除されることはなく、また上位梯子が不測に伸長上昇しないので、運搬時に上位梯子側を持っても下位梯子も一体的に持ち上げることができ、また運搬中に上位梯子側が低くなっても重力によって伸長してしまうこともなく、一方伸縮梯子を伸長させる際には操作ロープを引張操作することによってロックレバーがばねの付勢力に抗して下方に回動して踏桟に対して非係合状態となるので上位梯子の上昇伸長動作に支障を来すことはなく、従って取扱上の面倒な注意義務を無くした使い勝手のよい安全で便利な伸縮梯子を提供できる。
【００２４】
請求項２にあっては、下位梯子の踏桟と掛合片との係合位置から一定距離以上上昇させたときに、掛合片と下方の踏桟との係合を阻止する掛合解除片が作用状態となるように構成した簡単な構成の掛合装置を用いて安価に製造することができるとともにロックレバーにて上記効果を発揮できる。
【図面の簡単な説明】
【図１】本発明の伸縮梯子の一実施例の側面図である。
【図２】同実施例の正面図である。
【図３】同実施例の要部の横断平面図である。
【図４】同実施例のロックレバーを取付けた上部プーリブラケットの斜視図である。
【図５】同実施例のロックレバーの作用説明図である。
【符号の説明】
１  伸縮梯子
２  下位梯子
２ａ  踏桟
３  上位梯子
３ａ  踏桟
６  掛合装置
７  掛合片
８  掛合解除片
１５  ロックレバー
１６  ばね
１７  操作ロープ
【図１】
0003665380.tif 000002
【図２】
0003665380.tif 000003
【図３】
0003665380.tif 000004
【図４】
0003665380.tif 000005
【図５】
0003665380.tif 000006